(57)【特許請求の範囲】
【請求項１】
電話番号帳を具備し、着信の際に発信元を表示する表示部を有する無線電話機であって、
着信を検出すると、発信元番号の検出を行うとともに発信側で入力されたデータが付加されているか否かを検出し、発信元番号が前記電話番号帳に登録されているか否かを検索し、前記発信側で入力されたデータが付加されていることが検出され、前記発信元番号が前記電話番号帳に登録されていない場合には、前記発信側で入力されたデータに基づく表示をせずに鳴音動作し、前記発信側で入力されたデータが付加されていることが検出され、前記発信元番号が前記電話番号帳に登録されている場合には、前記表示部に発信元を表示するとともに、前記発信側で入力されたデータに基づき文字列を表示し、鳴音動作する制御部を有することを特徴とする無線電話機。
【請求項２】
電話番号帳を具備し、着信の際に発信元を表示する表示部を有する無線電話機であって、
着信を検出すると、発信元番号の検出を行うとともに発信側で入力されたデータが付加されているか否かを検出し、発信元番号が前記電話番号帳に登録されているか否かを検索し、前記発信側で入力されたデータが付加されていることが検出され、前記発信元番号が前記電話番号帳に登録されていない場合には、前記発信側で入力されたデータに基づく表示をせずに鳴音動作し、前記発信側で入力されたデータが付加されていることが検出され、前記発信元番号が前記電話番号帳に登録されている場合には、前記表示部に発信元を表示するとともに、前記発信側で入力されたデータに基づき文字列を表示し、鳴音動作するとともに、前記発信側で入力されたデータが付加されている着信の着信履歴登録を行う制御部を有することを特徴とする無線電話機。
【請求項３】
制御部が、着信を検出すると、発信元番号の検出を行うとともに発信側で入力されたデータが付加されているか否かを検出し、発信元番号が電話番号帳に登録されているか否かを検索し、前記発信側で入力されたデータが付加されていないことが検出され、前記発信元番号が前記電話番号帳に登録されていない場合には、鳴音動作し、前記発信側で入力されたデータが付加されていないことが検出され、前記発信元番号が前記電話番号帳に登録されている場合には、表示部に発信元を表示するとともに、鳴音動作することを特徴とする請求項１又は２記載の無線電話機。
【発明の詳細な説明】
【技術分野】
【０００１】
本発明は、無線電話機に関するもので、特に、緊急性の高い送受信を優先的に行う機能を有する無線電話機に関する。
【背景技術】
【０００２】
一般に、無線電話システムは図１に示すように無線電話機１０１、基地局１０２、交換機１０３、公衆網１０４から構成されている。従来、このようなシステムの無線電話機１０１における着信時の動作は、無線電話機１０１の表示部に発信元電話番号が表示され、かつ発信元電話番号が着信側無線電話機内部の電話帳部分、すなわちメモリダイヤルに予め登録されている電話番号（以下メモリダイヤル番号と記す）と一致した場合は発信元の名前、着信方法（発信元番号非通知着信／発信元番号通知着信／公衆電話/通知不可能）等が表示される。この場合、着信相手には発信元と着信方法とが通知されるだけで、その呼が緊急性の高い呼なのか、通常の呼なのかを判別する手段はなく、これらの差を区別して送信することは不可能であった。この為、着信者が緊急性の高い呼であるにもかかわらず通常の呼と認識してしまい、着信は認識しているが、応答しないというケースが往々にしてあった。
【０００３】
すなわち、従来の無線電話機１０１から発信の際、入力する受信側電話番号の前に発信者通知サービスを実施するか否かを示す特定の番号を付加するものとして、発信者通知表示サービスがある。このサービスは、相手電話番号の前に「１８４」（発信者番号非通知）もしくは「１８６」（発信者番号通知）を付加することで着信側の無線電話機１０１の表示部に電話番号を表示し通知するか、しないかを発信者側で選択するためだけのサービスである。また、従来、送信側の意図する情報を着信側で検出し、必要な処理を着信側で実行する方法については特開平１１−１６４００４号公報があり、送信側の通知情報を着信側電話機の画面に表示する方法に関しては特開２０００−３０７７３０号公報がある。前者は、着信側で送られてきた送信側のエリア情報を、着信側の電話機が有するエリア情報と一致／不一致検索を行ない、該当する情報を表示する機能について開示されており、後者はネットワークのサービスセンタに予め発信電話番号に対する通知情報を登録しておき、着呼時にはこの中から通知情報を検出し合成音声その他画像表示等の手段により通知する方法について開示したものである。
【０００４】
ここで従来技術での発着信時の動作を図７、図８、図９により説明する。まず着信処理について説明する。発信元が電話番号通知を意図し、これを示す番号（上記例では「１８６」）を着信側電話番号の先頭部に入力すると着信側には発信元電話番号のみが通知される。したがって、呼の着信を受けた無線電話機１０１側では電話番号数字列が検出されたか否かを図７におけるステップＳ７１でチェックし、送信側の電話番号表示の可否を判別する。この発信元の番号数字列が検出されておれば（ステップＳ７１のＹ）、受信した無線電話機１０１のデータ部（図８の８０８）に予め登録されているメモリダイヤル番号に対して発信元番号が登録されているか否かの検索がステップＳ７５で行われる。この結果、発信元番号を検出すると、発信元の名前データと発信元ダイヤル番号とを表示部（図８の８０６）にステップＳ７６）により表示し、次いでステップＳ７３により着信音（バイブレータ）を鳴音（鳴動）させ、無線電話機１０１のデータ部（図８の８０８）にステップＳ７４により着信履歴登録を行ない、この場合の着信処理を完了する。
【０００５】
また、発信元番号非通知を目的として、発信者が上記の「１８６」の代わりに「１８４」を入力すると受信側にはこれを意味するコードとして「Ｐ」が着信側に通知され、着信側ではこのコード「Ｐ」が付加されているか否かをステップＳ７２でチェックする。なお、この他、発信元が公衆電話の場合は「Ｃ」、通知不可能（表示圏外）の場合は「Ｏ」または「Ｓ」が通知される。すなわち、着信した信号に発信元番号が検出されなかった場合（図７におけるステップＳ７１のＮ）には、発信元番号非通知着信用のコード「Ｐ」が付加されているか否かをステップＳ７２でチェックする。ここで、発信元番号非通知着信用のコード「Ｐ」を検出すると（図７におけるステップＳ７２のＮ）、非通知着信であることを表示部（図８の８０６）にステップＳ７７により表示し、ステップＳ７３で着信音（バイブレータ）を鳴音（鳴動）させ、無線電話機１０１のデータ部（図８における８０８）に着信履歴登録をステップＳ７４で行ないこの場合の着信処理を完了する。なお、図７におけるステップＳ７１のＮ、およびステップＳ７２のＮのように上記のコードが付加されていない場合は、無線電話機１０１の表示部には何ら表示することなく、通常の受信処理としてステップＳ７３に進む。
【０００６】
次にメモリダイヤル発信処理について図９により説明する。発信元は操作部（図８の８０５）を操作し、発信側の無線電話機に予め設定されているダイヤル情報をステップＳ９１で検索する。これにより着信相手を指定すると次に発信元番号を通知するかどうかをステップＳ９２で選択する。発信元番号を通知するならば、無線電話機のデータ部（図８の８０８）にある発信ダイヤルデータの先頭に発信元電話番号通知を示す数字列「１８６」をステップＳ９７において付加した後、ステップＳ９５により発信ダイヤル番号を表示部（図８の８０６）に表示し、ステップＳ９６により無線電話機のデータ部（図８の８０８）に発信履歴登録を行ない、発信処理を完了する。この場合、着信側には前記のように発信元の電話番号のみが送信される。
【０００７】
また、着信相手を指定後、発信元電話番号を通知しない場合は、ステップＳ９４により無線電話機のデータ部（図８の８０８）にある発信ダイヤル番号データの先頭に「１８４」を付加して入力すると、ステップＳ９５により発信ダイヤル番号は表示部（図８の８０６）に表示される。次いでステップＳ９６により無線電話機のデータ部（図８の８０８）に発信履歴登録が行なわれるが、着信側には発信元番号非通知を示すコード「Ｐ」が送信され発信処理を完了する。また、着信相手を指定後、発信元番号通知も発信元番号非通知も行なわない場合は、予め無線電話機に設定されている設定値（発番号通知あり/なし）を元に、ステップＳ９５により発信ダイヤルを表示部（図８の８０６）に表示し、ステップＳ９６により無線電話機のデータ部（図８の８０８）に発信履歴登録を行ない発信処理を完了していた。
【発明の開示】
【発明が解決しようとする課題】
【０００８】
以上述べたように、従来技術においては無線電話機の着信の際、発信元を通知するか否かの連絡機能は有していたが、発信者の緊急性が着信相手に伝達されず、着信側が即時に応答しない場合があるという問題があった。本発明の目的はこの問題を解決し、その呼の緊急性を着信相手に通知し、迅速な応答を促す機能を有する無線電話機を提供することにある。
【課題を解決するための手段】
【０００９】
以上述べた目的を達成するために、本発明においては、着信の際に発信元番号を表示する表示部を有する無線電話機であって、着信を検出すると、当該着信に発信者側で入力された着信側電話番号に発信側で入力されたデータが付加されているか否かを検出し、着信に前記発信側で入力されたデータが付加されていることを検出した場合には、着信処理中に、表示部に発信元番号を表示するとともに、前記発信側で入力されたデータに基づき文字列を表示することを特徴としている。
【００１０】
また、以上述べた目的を達成するために、本発明においては予め登録された内容を有する電話番号帳としてのメモリを無線電話機内部に有しており、着信の際に送信側電話番号を表示する機能を備えた無線電話機であって、送信回路系には、緊急な通知であることを知らせる為の緊急通信付加番号あるいは特定のコードを入力し、これら緊急通信付加番号あるいは特定のコードを送信のデータ構成上で着信側電話番号の直前あるいは直後等着信側電話番号の近辺に付加する手段が含まれている構成としている。
【００１１】
また、受信回路系には、前記緊急通信付加番号を検出する緊急通信付加番号検出手段と、前記緊急通信付加番号検出手段により緊急通信付加番号が検出された際、その緊急通信付加番号を除いた送信側電話番号と緊急通信であることを着信側で告知する手段とが含まれている構成としている緊急着信表示機能付無線電話機について規定している。
【００１２】
なお、前記の緊急着信表示機能付無線電話機において、前記の緊急通信付加番号検出手段で緊急通信付加番号を検出したときに、送信されてきた発信元番号をもとに当該無線電話機内部に保存された電話帳から発信元番号を検索/表示し、着信者が応答しなかった場合には着信履歴リストに発信元番号を登録しておき、これにより緊急通信が着信している旨の表示を行う手段を備えた構成としておくことも出来る。
【００１３】
また、発信元の番号に緊急通信を示す緊急通信付加番号が付加されているときに、その付加番号を除去した発信元番号を表示するとともに、緊急連絡を受信側に告知する手段を備えた構成としておくことも出来る。
【発明の効果】
【００１４】
本発明により緊急性の高い呼出を行うに際して、着信相手に緊急性の高い呼出であることを通知することが出来るため、着信相手がその呼に対し、迅速な応答を確実に得ることが出来るようになる。
【発明を実施するための最良の形態】
【００１５】
以下、本発明の実施の形態を図により説明する。既に、「従来の技術」の項で述べたように、一般に無線電話システムの構成は、図１に示すように無線電話機１０１、基地局１０２、交換局１０３、公衆網１０４の各部分から構成されている。本発明はこのシステム構成において緊急度の高い呼が到来した場合、送受信両方の無線電話機に緊急通知機能を付与しておくもので、この処理の手順について図２、図３、図４、図５および図６により説明する。
【００１６】
まず、着信処理について図２および図３により説明する。図２は本発明における着信時の処理手順を示すフロー図であり、図３は本発明における無線電話機１０１の回路構成を示すブロック図である。図８に示した従来の無線電話機との相違点は緊急通話であることを示す緊急コードとしての付加数字を検出する処理を行う部分３０３１が付加されていることである。図２において、無線電話機１０１が着信を検出すると、ステップＳ２１において緊急通信である旨を表示する緊急コード（例えば「８８１」）が付加されているか否かをチェックする。この処理は図３における制御部３０３内に組みこまれている付加番号検出処理３０３１において実行される。ここで、上記の緊急コード「８８１」を検出するとステップＳ２６により無線電話機１０１のデータ部（図３の３０８）に予め登録されているメモリダイヤル番号を検索し、該当するダイヤル番号が検出されると名前データとダイヤル番号とをステップＳ２７により無線電話機１０１の表示部（図３の３０６）に表示し、ステップＳ２４により着信音（バイブレータ）を鳴音（鳴動）させ、無線電話機１０１のデータ部（図３の３０８）に緊急着信があった旨の着信履歴登録をステップＳ２５により行った後に着信処理を完了する。
【００１７】
ここで、緊急通信付加番号検出手段で緊急付加番号を検出し、送信されてきた発信元番号をもとに着信側の当該無線電話機内部に保存された電話帳から発信元番号を検索／表示した状態で、着信者が応答しなかった場合には着信履歴リストに発信元番号を登録しておき、後刻、当該無線電話機を受信状態にしたとき、この登録内容により緊急通信が着信している旨の表示を行なう手段を備えた構成としておくことも出来る。なお、緊急着信の場合は鳴音の発音条件を通常着信の場合と変えるか、図５（ａ）に示す着信時における無線電話機１０１の表示部画面の色、あるいは字体その他表示形式を通常受信の場合と変えたりすることにより緊急着信であることの確認を容易にしておくと高い効果が得られる。なお、図５（ｂ）は着信側で受話器を取り上げる前に発信側で呼の動作、すなわち呼び出し動作を終了した場合を示すもので、ステップＳ５１の着信履歴表示処理を行った後受信処理完了（Ｓ５２）としている。図６は無線電話機の電源断、あるいは着信不能領域にあった場合、次に電源入あるいは着信可能領域に戻った場合に緊急着信があった旨を表示する不在着信表示の一例を示すものである。
【００１８】
また、受信したダイヤルの先頭に緊急通知用のコード（例えば「８８１」）が検出されなかった場合（図２のステップＳ２１におけるＮ）は、「従来の技術」の項で述べたように発信元番号の通知を行うか否かを発信元番号送信の有無をステップＳ２２でチェックし、発信元番号が送信されてきておれば（ステップＳ２２におけるＹ）ステップＳ２８によりメモリダイヤルで発信元番号を検索し、通常の受信としてステップＳ２９により発信元番号を表示する。発信元番号が送信されていない場合（ステップＳ２２におけるＮ）は、発信元番号非通知を示すコード「Ｐ」の有無をステップＳ２３によりチェックし、このコードが含まれている場合は（ステップＳ２３におけるＹ）、ステップＳ２１０により呼着信表示処理を行い、以下、着信音鳴動のステップＳ２４を実行した後、着信履歴登録のステップＳ２５を実行して着信処理を終了する。
【００１９】
次に、メモリダイヤルによる発信処理を図４より説明する。発信元が操作部（図３の３０５）を操作し、無線電話機１０１に予め設定されているメモリダイヤルの情報をステップＳ４１により検索する。着信相手を指定すると次に緊急通知を行うか否かをステップＳ４２により選択する。緊急通知を行うならばステップ４２のＹに移り、ステップＳ４８により無線電話機１０１のデータ部（図３の３０８）にある発信ダイヤル番号の先頭に例えば「８８１」等の緊急通信である旨のコードを挿入した後、ステップＳ４６により発信ダイヤル番号を表示部（図３の３０６）に表示し、ステップＳ４７により無線電話機１０１のデータ部（図３の３０８）に発信履歴登録を行ない、発信処理を完了する。
【００２０】
また、着信相手を指定後、緊急通知をすることなく発信元通知の送信を行う場合はステップＳ４３のＹに移り、この後は「従来の技術」の場合と同様に、発信ダイヤル番号の前に特定の数字列（従来の技術の例では「１８６」）をステップＳ４９により発信ダイヤル番号の直前に付加し、その後にステップＳ４６により発信ダイヤル番号表示を行い、さらにステップＳ４７により発信履歴登録処理を行う。さらにステップＳ４３のＮのように緊急発信でもなくまた発信元通知でもない場合は、ステップＳ４５のＹに移り発信元番号非通知の数字列（従来の技術の例では「１８４」）を入力することにより、ステップＳ４５により発信データの先頭部にコード「Ｐ」が付加された後、直ちにステップＳ４６の発信ダイヤル番号の表示、およびステップＳ４７の発信履歴登録を行い発信処理を完了する。また、上記のいずれでもない場合はステップＳ４４のＮに移り、付加コードあるいは数字列を入力することなく直ちにステップＳ４６、ステップＳ４７を経て発信処理を終了する。
【００２１】
以上説明した本発明の例において、付加番号あるいはコード等の入力に際しては必ずしも着信側電話番号の先頭に付加するものではなく、この後に付加してもよい。例えば、ＩＳＤＮ回線において実現されているサブアドレスを用いてもよい。この場合、サブアドレスは発呼時に着信側に送信される２３バイトのデータで、１バイト目がサブアドレス識別子、２バイト目が内容長、３バイト目がサブアドレス種別、３バイト目以降が内容となる構造を持っている。発信側が、着信側の電話番号に続けて「＊」と２０文字以内のデータを入力すると、そのデータを内容とするサブアドレスを着信側に送信するサービスが電気通信事業者により実行されるので、前記の例のように数字列「８８１」をサブアドレスの内容の部分に記入するか、あるいは緊急であることを示すサブアドレス種別を持つことで緊急通信であることを伝達すことが出来る。なお、緊急性の高い呼に対しては別課金とすることにより緊急時用の呼の乱用を防ぐことが出来る。
【図面の簡単な説明】
【００２２】
【図１】一般的な無線電話システムを示す系統図。
【図２】本発明における着信時の処理手順を示すフロー図。
【図３】本発明の機能を含む無線電話機の回路ブロック図。
【図４】本発明におけるメモリダイヤル発信時の処理手順を示すフロー図。
【図５】緊急着信時の表示例を示す電話機表示部の外観図。
【図６】緊急着信後の不在着信表示例を示す電話機表示部の外観図。
【図７】従来の技術における着信時の処理手順を示すフロー図。
【図８】従来技術における無線電話機の回路ブロック図。
【図９】従来技術におけるメモリダイヤル発信時に処理フロー図。
【符号の説明】
【００２３】
１０１：無線電話機     １０２：基地局      １０３：交換局      １０４：公衆網      ３０１、８０１：無線部 ３０２      ８０２：ベースバンド部      ３０３、８０３：制御部      ３０４、８０４：音声処理部      ３０５、８０５：操作部      ３０６、８０６：表示部      ３０８、８０８：データ部      ３０９：付加数字検出処理
【図１】
0004425284.tif 000002
【図２】
0004425284.tif 000003
【図３】
0004425284.tif 000004
【図４】
0004425284.tif 000005
【図５】
0004425284.tif 000006
【図６】
0004425284.tif 000007
【図７】
0004425284.tif 000008
【図８】
0004425284.tif 000009
【図９】
0004425284.tif 000010